(57)【要約】【課題】粒子数計測システムにおいて粒子数計測装置の計測結果である希釈後の粒子数濃度だけでなく、希釈前の粒子数濃度を表示可能にするとともに、ユーザの使い勝手を良くする。【解決手段】粒子数計測システム１００において、粒子数計測装置２の計測結果による希釈後の粒子数情報、及び希釈後の粒子数情報と希釈ユニットによる希釈比とから得られる希釈前の粒子数情報を切り替え可能に表示する情報処理装置４を備える。【選択図】図５
2010249752.tif 000002
【特許請求の範囲】
【請求項１】
エンジンの排出ガスを導入するための排出ガス導入ポートと、
希釈ガスを導入するための希釈ガス導入ポートと、
内部に導入された排出ガスに希釈ガスを所定の希釈比で混合することによりその排出ガスを希釈する希釈ユニットと、
前記希釈ユニットにより希釈された排出ガス中の固体粒子数を計測する粒子数計測装置と、
前記粒子数計測装置の計測結果による希釈後の粒子数情報、及びその希釈後の粒子数情報と前記希釈ユニットの希釈比とから得られる希釈前の粒子数情報を切り替え可能にディスプレイ上に表示する情報処理装置と、を備える粒子数計測システム。
【請求項２】
前記排出ガス中の揮発性粒子を気化させる蒸発器をさらに備え、
前記情報処理装置が、前記希釈後の粒子数情報及び前記希釈前の粒子数情報に加えて、前記希釈後の粒子数情報と前記希釈ユニットの希釈比及びこの希釈比における少なくとも前記蒸発器を粒子が通過した後の粒子数損失から定められる粒子損失係数とから得られる損失補正後の粒子数情報を切り替え可能にディスプレイ上に表示するものである請求項１記載の粒子数計測システム。
【請求項３】
前記情報処理装置が、前記希釈後の粒子数情報及び前記希釈前の粒子数情報を切り替え可能な第１表示画面と、前記希釈後の粒子数情報、前記希釈前の粒子数情報及び前記損失補償後の粒子数情報を切り替え可能な第２表示画面とをユーザが選択するための選択用表示をディスプレイ上に表示するものであり、さらに、その選択用表示により選択された表示画面をディスプレイ上に表示するものである請求項２記載の粒子数計測システム。
【請求項４】
前記情報処理装置が、前記希釈ユニットの希釈比を設定するための希釈比設定画面を表示するものであり、前記希釈比設定画面に入力された希釈比に基づいて、前記希釈後の粒子数情報及び前記希釈前の粒子数情報を切り替え可能な第１表示画面と、前記希釈後の粒子数情報、前記希釈前の粒子数情報及び前記損失補償後の粒子数情報を切り替え可能な第２表示画面とのいずれか一方の表示画面をディスプレイ上に表示するものである請求項２記載の粒子数計測システム。
【発明の詳細な説明】
【技術分野】
【０００１】
本発明は、エンジンの排出ガスに含まれるＰＭ等の固体粒子数を計測する粒子数計測システムに関し、特に当該粒子数計測システムの画面表示に関するものである。
【背景技術】
【０００２】
エンジンからの排出物質の１つである粒子状物質（ＰＭ：Ｐａｒｔｉｃｕｌａｔｅ  Ｍａｔｔｅｒｓ）の測定方法としては、フィルタを用いてＰＭを捕集し、そのＰＭ質量を図るフィルタ質量法が周知である。ところで、ＰＭ排出量が微量となり、フィルタ重量法では精度面で厳しい状況となってきている。そのような状況のもと、フィルタ重量法の代替法として開発されたものが、排出ガス中のＰＭの数を計測する手法である。その具体的なシステム構成としては、例えば粒子数計測装置の前段に、エンジンの排出ガスをエア等で希釈する希釈ユニットを設け、その希釈した排出ガスの一部を当該粒子数計測装置に導いて、その中に含まれる粒子数をカウントするようにしたものが知られている（特許文献１参照）。
【０００３】
従来、このようなシステムにおいて、粒子数計測装置によって計測された固体粒子数濃度が、情報処理装置のディスプレイ上に表示されるように構成されている。
【０００４】
しかしながら、希釈前の排出ガスに含まれる固体粒子数濃度をユーザが知りたい場合には、希釈ユニットの希釈比と粒子数計測装置によって計測された固体粒子数濃度とをユーザが手計算によって乗じる必要がある。また、粒子数計測装置の測定結果は時々刻々と変化するものであり、リアルタイムに希釈前の固体粒子数濃度を手計算で算出する作業は極めて煩雑である。
【０００５】
一方で、ディスプレイ上に種類の異なる粒子数濃度を表示すると、各粒子数濃度表示スペースが小さくなってしまう上に、ユーザの見間違い等を招きやすく、ユーザにとって使い勝手が悪くなるという問題がある。
【先行技術文献】
【特許文献】
【０００６】
【特許文献１】特開２００６−１９４７２６号公報
【発明の概要】
【発明が解決しようとする課題】
【０００７】
そこで本発明は、上記問題点を一挙に解決するためになされたものであり、粒子数計測システムにおいて粒子数計測装置の計測結果である希釈後の粒子数濃度だけでなく、希釈前の粒子数濃度を表示可能にするとともに、ユーザの使い勝手を良くすることをその主たる所期課題とするものである。
【課題を解決するための手段】
【０００８】
すなわち本発明に係る粒子数計測システムは、エンジンの排出ガスを導入するための排出ガス導入ポートと、希釈ガスを導入するための希釈ガス導入ポートと、内部に導入された排出ガスに希釈ガスを所定の希釈比で混合することによりその排出ガスを希釈する希釈ユニットと、前記希釈ユニットにより希釈された排出ガス中の固体粒子数を計測する粒子数計測装置と、前記粒子数計測装置の計測結果による希釈後の粒子数情報、及びその希釈後の粒子数情報と前記希釈ユニットの希釈比とから得られる希釈前の粒子数情報を切り替え可能にディスプレイ上に表示する情報処理装置と、を備えることを特徴とする。
【０００９】
このようなものであれば、希釈後の排出ガスにおける粒子数情報だけでなく、希釈前の排出ガスにおける粒子数情報を表示することができ、ユーザが手計算により希釈前の粒子数情報を算出する手間を不要とすることができ、ユーザにとって使い勝手を良くすることができる。また、希釈後の粒子数情報及び希釈前の粒子数情報を切り替え可能に表示することによって、画面表示を煩雑にすることなく又各表示スペースを小さくする必要もなく、ユーザが各粒子数情報を見間違えることを防止することができ、粒子数計測システムの使い勝手を良くすることができる。
【００１０】
粒子数計測システムが、排出ガス中の揮発性粒子を気化させる蒸発器をさらに備える場合においては、蒸発器及びその近傍、特に蒸発器と希釈ユニットとの間の配管では、例えば熱泳動現象により排出ガス中に含まれる粒子が配管に付着してしまうという問題がある。そこで、配管への粒子の付着等による粒子損失を考慮した粒子数情報を表示するためには、前記情報処理装置が、前記希釈後の粒子数情報及び前記希釈前の粒子数情報に加えて、前記希釈後の粒子数情報と前記希釈ユニットの希釈比及びこの希釈比における少なくとも前記蒸発器を粒子が通過した後の粒子数損失から定められる粒子損失係数とから得られる損失補正後の粒子数情報を切り替え可能にディスプレイ上に表示するものであることが望ましい。なお、ここで、粒子損失係数は、例えばＥＣＥ基準（ECE Regulation）において定義されているＰＣＲＦ（Particle Concentration Regulation Factor）である。これならば、希釈後の粒子数情報、希釈前の粒子数情報及び損失補正後の粒子数情報を表示できるだけでなく、ユーザが各粒子数情報を見間違えることを防止することができ、表示スペースを小さくする必要もなく、粒子数計測システムの使い勝手を良くすることができる。
【００１１】
また、前記情報処理装置が、前記希釈後の粒子数情報及び前記希釈前の粒子数情報を切り替え可能な第１表示画面と、前記希釈後の粒子数情報、前記希釈前の粒子数情報及び前記損失補償後の粒子数情報を切り替え可能な第２表示画面とをユーザが選択するための選択用表示をディスプレイ上に表示するものであり、さらに、その選択用表示により選択された表示画面をディスプレイ上に表示するものであることが望ましい。これならば、ユーザが意図的に第１表示画面及び第２表示画面を選択できるようになり、画面上に表示されている粒子数情報を取り違えることを防止し易くできる。
【００１２】
前記情報処理装置が、前記選択用表示としての選択チェックボックスを含み、前記希釈ユニットの希釈比を設定するための希釈比設定画面を表示するものであり、ユーザが前記第２の粒子数情報表示画面を選択した場合において、前記希釈比設定画面上に粒子損失係数が予め定められた希釈比のみを選択可能に表示するものであることが望ましい。これならば、損失補正後の希釈前粒子数情報を表示させる場合において、粒子損失係数が設定されていない希釈比を選択することを未然に防止することができ、ユーザの使い勝手を向上させることができる。
【００１３】
ユーザの使い勝手を一層良くするためには、前記情報処理装置が、前記希釈ユニットの希釈比を設定するための希釈比設定画面を表示するものであり、前記希釈比設定画面に入力された希釈比に基づいて、前記希釈後の粒子数情報及び前記希釈前の粒子数情報を切り替え可能な第１表示画面と、前記希釈後の粒子数情報、前記希釈前の粒子数情報及び前記損失補償後の粒子数情報を切り替え可能な第２表示画面とのいずれか一方の表示画面をディスプレイ上に表示するものであることが望ましい。
【発明の効果】
【００１４】
このように構成した本発明によれば、粒子数計測システムにおいて粒子数計測装置の計測結果である希釈後の粒子数濃度だけでなく、希釈前の粒子数濃度を表示可能にするとともに、ユーザの使い勝手を良くすることができる。
【図面の簡単な説明】
【００１５】
【図１】本発明の一実施形態に係る粒子数計測システムの全体構成図である。
【図２】同実施形態における情報の流れを示す情報伝達図である。
【図３】粒子損失係数を用いない場合の希釈率設定画面である。
【図４】粒子損失係数を用いる場合の希釈率設定画面である。
【図５】粒子損失係数を用いない場合の粒子数情報表示画面である。
【図６】粒子損失係数を用いる場合の粒子数情報表示画面である。
【発明を実施するための形態】
【００１６】
以下本発明に係る粒子数計測システムの一実施形態について図面を参照して説明する。
本実施形態に係る粒子数計測システム１００は、図１に示すように、排出ガス導入ポートＰＴ１から内部に設けたメイン流路ＭＬにエンジンの排出ガスを導いて、それに希釈や気化等を施した後、メイン流路ＭＬに設けた粒子数計測装置２で前記排出ガス中の固体粒子であるＰＭを測定するものである。
【００１７】
前記排出ガス導入ポートＰＴ１は、図示しないエンジンからの排気ラインに接続されており、この排出ガス導入ポートＰＴ１に、例えばエンジンからの直接の排出ガスもしくは全流希釈トンネルや分流希釈トンネルで希釈された排出ガスが導かれるように構成している。なお、以下で排出ガスというときは、上述したような希釈された排出ガスも含む意味で用いることとする。
【００１８】
本実施形態の排ガス導入ポートＰＴ１には、複数のサンプルラインＳＬ１、ＳＬ２（直接の排出ガスもしくは全流希釈トンネルや分流希釈トンネル）を切り替え可能なライン選択機構ＳＣＵが設けられている。このライン選択機構ＳＣＵは、各サンプルラインＳＬ１、ＳＬ２に接続される複数（図１では２本）の分岐管ＢＰと、当該分岐管ＢＰ上に設けられたボールバルブＢＶ１、ＢＶ２と、分岐管ＢＰが合流する主管ＭＰ上に設けられ、排出ガスの圧力が一定値となるように調整する弁、例えばリリーフ弁ＲＶと、当該リリーフ弁ＲＶの下流側に設けられた例えばサイクロン型の集塵器ＤＣとを備えている。そして、主管ＭＰが排出ガス導入ポートＰＴ１に接続される。ボールバルブＢＶ１、ＢＶ２は、後述するレギュレータＲＥＧから与えられる圧縮エア（希釈ガス）により駆動される。これにより、ボールバルブＢＶ１、ＢＶ２の一方を開放することによって、複数のサンプルラインＳＬ１、ＳＬ２の一方から排出ガス導入ポートＰＴ１に排出ガスが導入されるように構成している。これならば、サンプルライン変更に伴うサンプルラインの接続のやり直し作業の手間を省略することができる。また、排出ガスが流れる流路上に設けられるバルブがボールバルブであり、バルブによる粒子損失を可及的に抑制することができる。さらに、調整弁ＲＶを設けることにより、例えばエンジンからの直接の排出ガスからサンプリングの際に起こる圧力変動にも対応できるように構成されている。
【００１９】
また、ライン選択機構ＳＣＵの分岐管ＢＰ及び主管ＭＰは、柔軟性を有し、静電気が帯電しにくい材料、例えば導電性加工の施されたテフロン（登録商標）製の管により構成されている。またテフロン（登録商標）製のものであれば、耐熱性を有するので、分岐管ＢＰ及び主管ＭＰを例えば約１９０度に加熱する場合でも好適に用いることができる。また、分岐管ＢＰ及び主管ＭＰの外面には断熱材を被覆しており、外部からの温度影響又は外部への温度影響を防止すると共に、分岐管ＢＰ及び主管ＭＰが屈曲することにより排出ガス中の粒子が滞留することを防止することができる。なお、分岐管ＢＰ及び主管ＭＰとしては、テフロン（登録商標）製のもの以外に、ウレタン製、塩化ビニール製、ナイロン製又はシリコン製のものであっても良い。
【００２０】
この排出ガス導入ポートＰＴ１から開閉バルブＶ１を介して内部に導入された排出ガスは、一部は第１バイパス路ＢＬ１から排出され、その残りが、直列に設けた複数段（本実施形態では２段）の希釈器ＰＮＤ１、ＰＮＤ２に導かれて希釈ガスであるエアによって希釈される。開閉バルブＶ１は、ボールバルブであり、レギュレータＲＥＧから与えられる圧縮エア（希釈ガス）により駆動される。
【００２１】
なお、エアは、希釈ガス導入ポートＰＴ２からレギュレータＲＥＧを介して複数の希釈ガス流路ＤＬ１〜ＤＬ３を経て、メイン流路ＭＬの各所又は第２バイパス流路ＢＬ２に供給される。
【００２２】
また、第１バイパス流路ＢＬ１は、後述する粒子数計測装置２の下流においてメイン流路ＭＬと合流しており、開閉バルブＶ２、及びバイパス流路ＢＬ１を流れる流量を一定に保つ、クリティカルオリフィス等の定流量器ＣＦＯ１がこの順で設けられている。
【００２３】
さらに、メイン流路ＭＬ及びバイパス流路（第１バイパス流路ＢＬ１の他、後述するその他のバイパス流路ＢＬ２、ＢＬ３も含む。）の合流点下流には、メイン流路ＭＬ及びバイパス流路ＢＬ１〜ＢＬ３を負圧にして排出ガスを導入するための吸引ポンプＰが接続されている。また、吸引ポンプＰの上流側近傍には、吸引ポンプＰの吸引力の変動を平滑化するためのバッファチャンバＢＣが設けられている。
【００２４】
第１希釈器ＰＮＤ１は、メイン流路ＭＬと希釈ガス流路ＤＬとの接続点又はその下流近傍に設けられており、第１希釈器ＰＮＤ１に導入された排出ガスを加熱するとともにその排出ガスを希釈するものである。
【００２５】
この第１希釈器ＰＮＤ１に導入される被希釈ガスである排出ガスは、その質量流量が第１希釈器ＰＮＤ１の上流、より具体的には接続点上流に設けられた流量測定機構３により測定されている。
【００２６】
この流量測定機構３は、流体抵抗となるオリフィス部３１と、そのオリフィス部３１の差圧を測定する圧力センサ３２と、上流側の絶対圧を測定する圧力センサ３３と、流体の温度を調整する温調器３４とを備えており、オリフィス部３１の上下流の圧力情報及び温調器３４からの温度情報に基づいて、別に設けた情報処理装置４（特に図２参照）が、第１希釈器ＰＮＤ１に導入される排出ガスの質量流量を算出できるように構成されている。情報処理装置４は、ＣＰＵ、メモリ、入力手段、ディスプレイ等を備え、メモリに格納した所定プログラムにしたがってＣＰＵや周辺機器が協働して動作する汎用乃至専用のいわゆるコンピュータである。
【００２７】
また、第１希釈器ＰＮＤ１に導入される希釈ガスは、希釈ガス流路ＤＬ１上に設けられた希釈ガス流量制御部ＭＦＣ１によりその質量流量が制御されている。この希釈ガス流量制御部ＭＦＣ１は、前記情報処理装置４から目標流量データを与えられると、内部に設けた流量センサ（図示しない）で測定される実流量が、目標流量データの値（以下、目標流量とも言う）となるように、内部のバルブ（図示しない）を調整してローカルで流量制御するものである。この目標流量は、前記情報処理装置４によって、希釈比から算出される。なお、上述した第１希釈器ＰＮＤ１及び希釈ガス流量制御部ＭＦＣ１により第１希釈ユニットが構成される。
【００２８】
また、第１希釈器ＰＮＤ１の下流には、揮発性粒子を気化させるために例えば３５０℃に設定された蒸発器ＥＵが設けられている。また、第１希釈器ＰＮＤ１及び蒸発器ＥＵの間から分岐して、粒子数計測装置２の下流においてメイン流路ＭＬに合流する第２バイパス流路ＢＬ２が設けられている。このバイパス流路ＢＬ２には、希釈ガス流量制御部ＭＦＣ２が設けられた希釈ガス流路ＤＬ２が接続されている。またバイパス流路ＢＬ２には、開閉バルブＶ３、バイパス流路ＢＬ２を流れる流量を一定に保つ、クリティカルオリフィス等の定流量器ＣＦＯ２がこの順で設けられている。このような構成により、希釈ガス流量制御部ＭＦＣ２が情報処理装置４によって制御されることにより、バイパス流路ＢＬ２に流入する希釈ガスが調整され、その結果、メイン流路ＭＬからバイパス流路ＢＬ２に流入する排出ガスの質量流量を調節する。
【００２９】
第２希釈器ＰＮＤ２は、蒸発器ＥＵより下流側は加熱されていない常温のメイン流路ＭＬと希釈ガス流路ＤＬ３との接続点又はその下流近傍に設けられており、第２希釈器ＰＮＤ２に導入される排出ガスを冷却するとともにその排出ガスを希釈するものである。
【００３０】
第２希釈器ＰＮＤ２に導入される希釈ガスは、希釈ガス流路ＤＬ３に設けられた希釈ガス流量制御部ＭＦＣ３によりその質量流量が制御されている。この希釈ガス流量制御部ＭＦＣ３は、前記希釈ガス流量制御部ＭＦＣ１と同様に、前記情報処理装置４から目標流量データを与えられると、内部に設けた流量センサ（図示しない）で測定される実流量が、目標流量データの値（以下、目標流量とも言う）となるように、内部のバルブ（図示しない）を調整してローカルで流量制御するものである。この目標流量は、前記情報処理装置４によって、希釈比から算出される。なお、上述した第２希釈器ＰＮＤ２及び希釈ガス流量制御部ＭＦＣ２により第２希釈ユニットが構成される。また、上述した流量測定機構３、第１希釈ユニット、蒸発器ＥＵ及び第２希釈ユニットにより揮発性粒子除去装置（ＶＰＲ）が構成される。
【００３１】
このような構成において、第１希釈器ＰＮＤ１及びその近傍から第２希釈器ＰＮＤ２に至る配管を図示しないヒータ等の加熱手段を有する温度調節器により、例えば１５０度以上に加熱されている。これにより、配管内壁へのＰＭの付着や凝集等を防止して、計数誤差を抑制している。
【００３２】
また、第２希釈器ＰＮＤ２の下流には、第１希釈器ＰＮＤ１及び第２希釈器ＰＮＤ２により希釈された排出ガス中の固体粒子数を計測する粒子数計測装置２が開閉バルブＶ５を介して設けられている。開閉バルブＶ５は、ボールバルブであり、レギュレータＲＥＧから与えられる圧縮エア（希釈ガス）により駆動される。また、第２希釈器ＰＮＤ２及び粒子数計測装置２の間、具体的には開閉バルブＶ５上流から分岐して、粒子数計測装置２の下流においてメイン流路ＭＬと合流する第３バイパス流路ＢＬ３が設けられている。このバイパス流路ＢＬ３には、バイパス流路ＢＬ３を流れる流量を一定に保つ、クリティカルオリフィス等の定流量器ＣＦＯ３及び開閉バルブＶ４がこの順で設けられている。なお、開閉バルブＶ５及び粒子数計測装置３の間には、開閉バルブＶ６及びフィルタをこの順で設けた大気開放通路ＡＬが形成されており、吸引ポンプＰの停止時などに開閉バルブＶ５が閉じられる際に、開閉バルブＶ６を開けて粒子数計測装置２内を大気開放させる。
【００３３】
粒子数計測装置２は、アルコールやブタノールなどの有機ガスを過飽和状態で混入させて排出ガス中のＰＭに付着させることにより、このＰＭを大きな径に成長させ、成長したＰＭをスリットから排出して、出てきた粒子にレーザ光にて計数するものである。この粒子数計測装置２は、成長したＰＭをスリットから排出するように構成していることから、そのスリットが定流量器としての機能を有し、粒子測定装置２には一定流量の排出ガスが流れることになる。
【００３４】
このような構成により、２段の希釈器ＰＮＤ１、ＰＮＤ２で希釈された排出ガスの一部が粒子数計測装置２に導かれ、その排出ガスに含まれる固体粒子数が計数される。そして、粒子数計測装置２で測定された計数データは、前記情報処理装置４に出力されて適宜処理され、粒子数濃度等が算出される。
【００３５】
しかして本実施形態の粒子数計測システム１００の情報処理装置４は、粒子数計測装置２の計測結果により得られた希釈後の粒子数情報と、その希釈後の粒子数情報及び希釈ユニットの希釈比から得られる希釈前の粒子数情報と、希釈後の粒子数情報及び粒子損失係数から得られる損失補正後の粒子数情報と、を切り替え可能にディスプレイ上に表示する。本実施形態では、粒子数情報として粒子数濃度［個／ｃｍ３］の例を示している。また、希釈前の粒子数情報は、希釈後の粒子数情報と希釈ユニットの希釈比（具体的には第１希釈器ＰＮＤ１及び第２希釈器ＰＮＤ２の全体希釈比）とを乗じた情報である。損失補正後の粒子数情報とは、希釈後の粒子数情報と粒子損失係数とを乗じた情報である。なお、粒子損失係数とは、希釈ユニットの希釈比及びこの希釈比における少なくとも蒸発器ＥＵを粒子が通過した後の粒子数損失から定められる係数である。つまり、粒子損失係数は、希釈ユニットの希釈比とこの希釈比における少なくとも蒸発器ＥＵを粒子が通過した後の粒子数損失とを組み合わせた係数であり、各希釈比毎に定められる。粒子損失係数に関して言うと、少なくとも蒸発器ＥＵ付近での粒子損失から得られるものであるが、蒸発器ＥＵによる粒子損失だけでなく配管曲がり等による粒子損失も考慮するため、本実施形態では、排出ガス導入ポートＰＴ１から粒子数計測装置ＣＰＣを接続する配管（当該配管に設けられた蒸発器ＥＵ等の各種機器を含む。）での粒子損失を考慮して定められている。
【００３６】
具体的に情報処理装置４は、排出ガスの粒子数濃度開始前等の希釈率設定において、図３に示す希釈率設定画面Ｗ１をディスプレイ上に表示する。この希釈率設定画面Ｗ１は、第１希釈ユニット（第１希釈器ＰＮＤ１）の希釈率及び第２希釈ユニット（第２希釈器ＰＮＤ２）の希釈率を設定するための画面である。なお、本実施形態では、第２希釈器ＰＮＤ２の希釈比は固定値（図３において１５倍）であり、希釈率設定画面Ｗ１は、第１希釈器ＰＮＤ１の希釈比を設定するための画面である。この第１希釈器ＰＮＤ１の希釈比は、希釈比入力ボックスＷ１１にユーザがテキスト入力することによって１０倍〜２００倍の間で任意に設定可能である。なお、図３において符号Ｗ１３は、希釈率を決定するための決定ボタンであり、符号Ｗ１４は希釈比設定を終了するための終了ボタンである。
【００３７】
この希釈率設定画面Ｗ１には、第１表示画面Ｗ２（図５参照）及び第２表示画面Ｗ３（図６参照）をユーザが選択するための選択用表示、具体的には選択チェックボックスＷ１２が表示されている。そして、ユーザがポインティングディバイスを用いて選択チェックボックスＷ１２をチェックした場合（図４参照）には、情報処理装置４が第２表示画面Ｗ３をディスプレイ上に表示する。一方、選択チェックボックスＷ１２をチェックしない場合には、情報処理装置４は、第１表示画面Ｗ２をディスプレイ上に表示する。
【００３８】
ここで、第１表示画面Ｗ２は、図５に示すように、希釈後の粒子数濃度及び希釈前の粒子数濃度を切り替え可能な表示画面であり、希釈後の粒子数濃度（図５中「Ｒａｗ  Ｃｏｕｎｔ」）と、希釈前の粒子数濃度（図５中「Ｃｏｕｎｔ×Ｔｏｔａｌ  ＤＦ」）とを切り替えるための表示切替部Ｗ２１と、当該表示切替部Ｗ２１により選択された粒子数濃度を例えばリアルタイムに表示するための粒子数情報表示領域Ｗ２２と、を備えている。表示切替部Ｗ２１は、ユーザがポインティングディバイスによって選択するとプルダウンメニューにより希釈後の粒子数濃度（Ｒａｗ  Ｃｏｕｎｔ）と希釈前の粒子数濃度（Ｃｏｕｎｔ×Ｔｏｔａｌ  ＤＦ）とを選択可能にするものである。また、第１表示画面Ｗ２は、粒子数計測中の希釈ユニットの希釈比を表示する希釈比表示領域Ｗ２３及び粒子数濃度の経時的変化を示す時系列データ表示領域Ｗ２４を有している。具体的に希釈比表示領域Ｗ２３は、第１希釈器ＰＮＤ１の希釈比と、第２希釈器ＰＮＤ２の希釈比と、それら２つの希釈器ＰＮＤ１、ＰＮＤ２による全体希釈比とが表示される。なお、第１表示画面Ｗ２は、ライン選択機構ＳＣＵにより選択されているサンプルラインを表示するステータス表示領域Ｗ２５も有している。
【００３９】
また、第２表示画面Ｗ３は、図６に示すように、希釈後の粒子数濃度、希釈前の粒子数濃度及び損失補正後の粒子数濃度を切り替え可能な表示画面であり、希釈後の粒子数濃度（図６中「ＣＰＣ  Ｃｏｕｎｔ」）と希釈前の粒子数濃度（図６中「Ｃｏｕｎｔ×Ｔｏｔａｌ  ＤＦ」）と損失補正後の粒子数濃度（図６中「Ｃｏｕｎｔ×ＰＣＲＦ」）とを切り替えるための表示切替部Ｗ３１と、当該表示切替部Ｗ３１によって選択された粒子数濃度を例えばリアルタイムに表示するための粒子数情報表示領域Ｗ３２と、を備えている。その他の構成は、第１表示画面Ｗ２と同様であり、符号Ｗ３３は希釈比表示領域であり、符号Ｗ３４は時系列データ表示領域である。なお、第２表示画面Ｗ３は、ライン選択機構ＳＣＵにより選択されているサンプルラインを表示するステータス表示領域Ｗ３５も有している。また、図６において粒子数情報表示領域Ｗ３２は、表示切替部Ｗ３１のプルダウンメニューにより隠れている。
【００４０】
また、希釈率設定画面Ｗ１において、選択チェックボックスＷ１２をチェックした場合には、希釈比入力ボックスＷ１１は、粒子損失係数が予め定められた希釈比のみが選択可能となる。具体的に情報処理装置４は、選択チェックボックスＷ１２がチェックされた場合には、希釈比入力ボックスＷ１１に粒子損失係数が予め定められた希釈比のみ選択可能とするために、それら希釈比が含まれたプルダウンメニューを表示する。そして、このプルダウンメニューに含まれる希釈比が選択されることによって第１希釈器ＰＮＤ１の希釈比が設定される。
【００４１】
次に、本実施形態の粒子数計測システム１００における粒子損失係数の校正機器５及び校正方法について説明する。
【００４２】
校正機器５は、単位時間あたり既知の粒子を発生する粒子発生器５１と、当該粒子発生器５１により発生された粒子を所定径の粒子に分級する分級器５２とを備えており、この校正機器５は、第１希釈ユニット上流側（具体的には排出ガス導入ポートＰＴ１）、又は第２希釈ユニットの下流側において粒子数計測装置２に接続される。なお、図１においては、校正機器５が排ガス導入ポートＰＴ１に接続された状態を示している。
【００４３】
次に校正方法について具体的に説明する。
粒子損失係数の校正方法は、粒子損失係数が設定されるべき希釈比毎に行われるものであり、本実施形態では粒子損失係数が設定されるべき第１希釈器ＰＮＤ１の希釈比は１０倍、２０倍、５０倍、１００倍、２００倍である。
【００４４】
そして、以下の手順により各希釈比毎の粒子損失係数の校正を行う。
まず、校正機器５を粒子数計測装置２に接続し、校正機器５の分級器５２により所定径（例えば３０ｎｍ、５０ｎｍ、１００ｎｍ）毎の粒子を粒子数計測装置２に供給して、その粒子数濃度を測定する（以下、この粒子数濃度を「生の粒子数濃度」という。）。
【００４５】
次に、校正機器５を排出ガス導入ポートＰＴ１に接続し、所定の希釈比（１０倍、２０倍、５０倍又は１００倍）に希釈させて粒子数計測装置２により粒子数濃度を測定する（以下、この粒子数濃度を「粒子損失有りの粒子数濃度」という。）。この粒子損失有りの粒子数濃度は、前記所定の希釈比で希釈した粒子数濃度よりも小さくなる。なぜならば、分級器５２から排出ガス導入ポートＰＴ１に導入された粒子は、粒子数計測装置２に到達するまでにメイン流路ＭＬを構成する配管、蒸発器ＥＵ及び希釈ユニット内に付着してその粒子数が減少するからである。この粒子数減少及び希釈比を考慮して定められる係数が粒子損失係数である。なお、本実施形態では、蒸発器ＥＵによる粒子損失だけでなく、メイン流路ＭＬを構成する配管の曲がり部等による粒子損失も考慮して粒子損失係数を設定するものであるが、蒸発器ＥＵ及びその下流側配管における粒子損失を考慮して粒子損失係数を設定するようにしても良いし、蒸発器ＥＵの粒子損失のみを考慮して粒子損失係数を設定するようにしても良い。
【００４６】
そして、各粒子径毎（例えば３０ｎｍ、５０ｎｍ、１００ｎｍ）に上記各計測を行った後、各粒子径毎の損失係数（ｐｃｅｆ３０、ｐｃｅｆ５０、ｐｃｅｆ１００）を計算する。この損失係数は、（生の粒子数濃度［個／ｃｍ３］）／（粒子損失有りの粒子数濃度［個／ｃｍ３］）により求められる。このように各粒子径毎に求められた損失係数をパラメータとして粒子損失係数（ＰＣＲＦ）が求められる。具体的には、各粒子径毎に求められた損失係数（ｐｃｅｆ３０、ｐｃｅｆ５０、ｐｃｅｆ１００）の平均値が粒子損失係数（ＰＣＲＦ）として定められる。なお、この情報処理装置４のメモリ内には、上記校正を行うための校正プログラムが格納されている。また、上記校正は、粒子数計測システムの出荷前又はメンテナンス時等に行われる。
【００４７】
＜本実施形態の効果＞
このように構成した本実施形態に係る粒子数計測システム１００によれば、希釈後の粒子数濃度、希釈前の粒子数濃度及び損失補正後の粒子数濃度を表示することができ、ユーザが手計算により希釈前の粒子数濃度及び損失補正後の粒子数濃度を算出する手間を不要とし、ユーザの使い勝手を良くすることができる。また、希釈後の粒子数濃度、希釈前の粒子数濃度及び損失補正後の粒子数濃度を切り替え可能に表示することによって、画面表示を煩雑にすることなく又表示スペースを小さくする必要もなく、ユーザが各粒子数濃度を見間違えることを防止することができ、粒子数計測システムの使い勝手を良くすることができる。
【００４８】
＜その他の変形実施形態＞
なお、本発明は前記実施形態に限られるものではない。
【００４９】
例えば、前記実施形態の第２希釈器の希釈比が固定値であったが、第１希釈器と同様、ユーザが任意に設定可能にしても良い。
【００５０】
また、粒子損失係数を求める際の粒子径は、３０ｎｍ、５０ｎｍ及び１００ｎｍに限られず、その他の粒子径であっても良い。
【００５１】
粒子損失係数に関して言うと、前記実施形態では、各粒子径毎に求められた損失係数の平均値（相加平均）としているが、測定する排出ガスの性質に応じて、各粒子径毎に求められた損失係数の加重平均を用いても良い。
【００５２】
さらに、前記実施形態では選択チェックボックスをチェックすると、プルダウンメニューにより第１希釈器の希釈比が選択可能となるように構成されているが、その他テキスト入力できるようにしても良い。この場合、粒子損失係数が設定されていない希釈比が入力された場合には、その入力された希釈比に最も近い、粒子損失係数が設定された希釈比が設定されるようにすることが考えられる。
【００５３】
加えて、希釈率設定画面が選択チェックボックスを有さないものであっても良く、この場合、希釈比入力ボックスに入力された希釈比が粒子損失係数が予め定められたものであれば、情報処理装置は、自動的に第２表示画面をディスプレイ上に表示するようにしても良い。これならば、ユーザの操作を簡略化することができる。
【００５４】
その他、本発明は前記実施形態に限られず、その趣旨を逸脱しない範囲で種々の変形が可能であるのは言うまでもない。
【符号の説明】
【００５５】
１００  ・・・粒子数計測システム
ＰＴ１  ・・・排出ガス導入ポート
ＰＴ２  ・・・希釈ガス導入ポート
ＭＬ    ・・・メイン流路
ＤＬ    ・・・希釈ガス流路
２      ・・・粒子数計測装置
ＰＮＤ１・・・第１希釈器
ＰＮＤ２・・・第２希釈器
【図１】
2010249752.tif 000003
【図２】
2010249752.tif 000004
【図３】
2010249752.tif 000005
【図４】
2010249752.tif 000006
【図５】
2010249752.tif 000007
【図６】
2010249752.tif 000008